(57)【特許請求の範囲】
【請求項１】
複数の建物ユニットが互いに組み合わされて構築され、
前記建物ユニットは、柱と前記柱に連結された上梁及び下梁とを有してなる枠体と、前記枠体の側面に設けられた外壁板とを有して構成され、
前記外壁板は、前記上梁及び前記下梁のうち少なくともいずれかの梁に屋外側から下地材を介して取り付けられているユニット式の建物に適用され、
前記複数の建物ユニットのうち所定の建物ユニットには、いずれかの前記柱である所定柱の周囲に当該所定柱を囲むように柱化粧板が設けられ、
前記柱化粧板は、当該柱化粧板と隣接する前記外壁板の屋外面と同一平面で連続する連続屋外面を有する建物の柱構造であって、
前記所定柱と前記柱化粧板との間には、前記所定柱に沿って上下に延びているとともに当該所定柱を囲む支持フレームが配設されており、
その支持フレームの外周側に前記柱化粧板が取り付けられており、
前記支持フレームは、前記所定柱から前記連続屋外面と平行に延びる前記上梁及び前記下梁のうち、当該上梁に対して固定された上梁固定部と、
当該下梁に対して固定された下梁固定部とを有することを特徴とする建物の柱構造。
【請求項２】
前記上梁固定部は、前記上梁に対して屋外側から固定され、
前記下梁固定部は、前記下梁に対して屋外側から固定されていることを特徴とする請求項１に記載の建物の柱構造。
【請求項３】
前記柱化粧板は、互いに直交する２面の前記連続屋外面を有し、
前記所定柱には、前記２面の各連続屋外面とそれぞれ平行に延びる２つの前記上梁と、前記２面の各連続屋外面とそれぞれ平行に延びる２つの前記下梁とが連結されており、
前記支持フレームは、前記２つの前記上梁にそれぞれ屋外側から固定された一対の前記上梁固定部と、前記２つの前記下梁にそれぞれ屋外側から固定された一対の前記下梁固定部とを有していることを特徴とする請求項２に記載の建物の柱構造。
【請求項４】
前記支持フレームは、前記所定柱に沿って上下に延びる第１フレーム部及び第２フレーム部を有し、それら各フレーム部が固定具を用いて互いに連結されることにより構成されており、
前記一対の上梁固定部と前記一対の下梁固定部とはいずれも前記第１フレーム部に設けられていることを特徴とする請求項３に記載の建物の柱構造。
【請求項５】
前記下梁は、その一端部が前記所定柱に連結された片持ち状の短尺梁とされ、前記柱化粧板により囲まれた内側空間に配設されていることを特徴とする請求項１乃至４のいずれか一項に記載の建物の柱構造。
【請求項６】
前記下梁は、前記所定の建物ユニットの搬送時及び据付時に、補強用の仮梁が仮固定される仮固定部となっていることを特徴とする請求項５に記載の建物の柱構造。
【請求項７】
前記所定柱は独立柱であり、その独立柱の四方が前記柱化粧板により囲まれて化粧柱が構成されていることを特徴とする請求項１乃至６のいずれか一項に記載の建物の柱構造。
【発明の詳細な説明】
【技術分野】
【０００１】
本発明は、建物の柱構造に関する。
【背景技術】
【０００２】
従来より、複数の建物ユニットが互いに組み合わされて構築されるユニット式建物が知られている。ユニット式建物では、建物ユニットが、柱とその柱に連結された上梁及び下梁とを有する枠体と、その枠体の側面に設けられた外壁板とを備えて構成されている。この場合、外壁板は、上梁及び下梁に屋外側から下地フレームを介して取り付けられることにより設けられる。
【０００３】
ユニット式建物では、建物ユニットを構成する柱を利用して化粧柱が構築される場合がある（例えば特許文献１参照）。化粧柱は、柱の側面（外周面）に当該柱を覆うように柱化粧板が取り付けられることにより構成される。
【先行技術文献】
【特許文献】
【０００４】
【特許文献１】特開２００２−１３８５７０号公報
【発明の概要】
【発明が解決しようとする課題】
【０００５】
ところで、建物に化粧柱が設けられる構成では、化粧柱（詳しくは柱化粧板）において屋外に面する屋外面が、当該柱化粧板と隣接する外壁板の屋外面と同一平面にて連続形成されることがある。
【０００６】
しかしながら、柱の側面に柱化粧板が取り付けられる上述の構成では、建物ユニットにおける柱の位置（梁に対する柱の位置）にばらつきが生じていると、その柱に取り付けられる柱化粧板の取付位置にもばらつきが生じることが考えられる。そうすると、柱化粧板の屋外面と外壁板の屋外面との間にずれが生じて外観が損なわれるおそれがある。
【０００７】
また、こうしたずれを解消するには、例えば外壁板又は柱化粧板を一旦取り外して、ずれが生じないよう組み付け直すことが考えられるが、そのような作業には大きな手間がかかることが想定される。
【０００８】
本発明は、上記事情に鑑みてなされたものであり、柱の周囲に柱化粧板が配設される構成にあって、その柱化粧板を好適に取り付けることが可能な建物の柱構造を提供することを主たる目的とするものである。
【課題を解決するための手段】
【０００９】
上記課題を解決すべく、第１の発明の建物の柱構造は、複数の建物ユニットが互いに組み合わされて構築され、前記建物ユニットは、柱と前記柱に連結された上梁及び下梁とを有してなる枠体と、前記枠体の側面に設けられた外壁板とを有して構成され、前記外壁板は、前記上梁及び前記下梁のうち少なくともいずれかの梁に屋外側から下地材を介して取り付けられているユニット式の建物に適用され、前記複数の建物ユニットのうち所定の建物ユニットには、いずれかの前記柱である所定柱の周囲に当該所定柱を囲むように柱化粧板が設けられ、前記柱化粧板は、当該柱化粧板と隣接する前記外壁板の屋外面と同一平面で連続する連続屋外面を有する建物の柱構造であって、前記所定柱と前記柱化粧板との間には、前記所定柱に沿って上下に延びる支持フレームが当該所定柱を囲むように配設されており、その支持フレームの外周側に前記柱化粧板が取り付けられており、前記支持フレームは、前記所定柱から前記連続屋外面と平行に延びる前記上梁及び前記下梁のうち、当該上梁に対して固定された上梁固定部と、当該下梁に対して固定された下梁固定部とを有することを特徴とする。
【００１０】
本発明によれば、所定柱を囲むように支持フレームが配設され、その支持フレームの上梁固定部と下梁固定部とがそれぞれ所定柱に連結された上梁及び下梁に固定されている。そして、その支持フレームの外周側に柱化粧板が取り付けられている。この場合、柱化粧板が上梁及び下梁に支持フレームを介して取り付けられているため、柱化粧板が所定柱に取り付けられる場合と異なり、柱化粧板の取付位置が建物ユニット（所定の建物ユニット）における所定柱の位置ばらつきの影響を受けることがない。
【００１１】
また、支持フレームの上梁固定部と下梁固定部とは、柱化粧板の連続屋外面（柱化粧板において隣接する外壁板の屋外面と連続する屋外面）と平行に延びる上梁及び下梁にそれぞれ固定されている。この場合、柱化粧板を、隣接する外壁板と同様に、連続屋外面と平行に延びる梁に対し下地材（支持フレーム）を介して取り付けることができるため、柱化粧板の連続屋外面を外壁板の屋外面と面一に揃え易くすることができる。これにより、柱化粧板を好適に取り付けることが可能となる。
【００１２】
第２の発明の建物の柱構造は、第１の発明において、前記上梁固定部は、前記上梁に対して屋外側から固定され、前記下梁固定部は、前記下梁に対して屋外側から固定されていることを特徴とする。
【００１３】
本発明によれば、支持フレームの上梁固定部及び下梁固定部がそれぞれ上梁と下梁とに屋外側から固定されている。この場合、柱化粧板を、隣接する外壁板と同様に、梁に対して屋外側から下地材（支持フレーム）を介して取り付けることができるため、柱化粧板の連続屋外面を外壁板の屋外面とより一層面一に揃え易くすることができる。これにより、柱化粧板をより一層好適に取り付けることが可能となる。
【００１４】
第３の発明の建物の柱構造は、第２の発明において、前記柱化粧板は、互いに直交する２面の前記連続屋外面を有し、前記所定柱には、前記２面の各連続屋外面とそれぞれ平行に延びる２つの前記上梁と、前記２面の各連続屋外面とそれぞれ平行に延びる２つの前記下梁とが連結されており、前記支持フレームは、前記２つの前記上梁にそれぞれ屋外側から固定された一対の前記上梁固定部と、前記２つの前記下梁にそれぞれ屋外側から固定された一対の前記下梁固定部とを有していることを特徴とする。
【００１５】
ところで、所定柱を囲む柱化粧板において互いに直交する２面の屋外面がそれぞれ隣接する外壁板の屋外面と連続形成されている場合がある。そこで本発明では、かかる構成において、支持フレームに、上記２面の屋外面とそれぞれ平行に延びる２つの上梁に屋外側から固定された一対の上梁固定部と、上記２面の屋外面とそれぞれ平行に延びる２つの下梁に屋外側から固定された一対の下梁固定部とを設けている。この場合、上記２面の各連続屋外面をそれぞれ外壁板の屋外面と面一に揃え易くすることができるため、かかる構成にあって柱化粧板を好適に取り付けることが可能となる。
【００１６】
第４の発明の建物の柱構造は、第３の発明において、前記支持フレームは、前記所定柱に沿って上下に延びる第１フレーム部及び第２フレーム部を有し、それら各フレーム部が固定具を用いて互いに連結されることにより構成されており、前記一対の上梁固定部と前記一対の下梁固定部とはいずれも前記第１フレーム部に設けられていることを特徴とする。
【００１７】
本発明によれば、支持フレームが２つのフレーム部に分割されて構成されており、それら各フレーム部のうち一方のフレーム部（第１フレーム部）に一対の上梁固定部と一対の下梁固定部とが設けられている。この場合、支持フレームを各上梁及び各下梁に固定するに際しては、まず、第１フレーム部の各上梁固定部及び各下梁固定部をそれぞれ各上梁、各下梁に固定し、それから、その第１フレーム部に対して第２フレーム部を固定することになる。つまり、この場合、梁に対する固定作業は第１フレーム部を各梁に固定することで完了するため、支持フレームが２つに分割された構成にあって、かかる固定作業を比較的容易に行うことが可能となる。
【００１８】
第５の発明の建物の柱構造は、第１乃至第４のいずれかの発明において、前記下梁は、その一端部が前記所定柱に連結された片持ち状の短尺梁とされ、前記柱化粧板により囲まれた内側空間に配設されていることを特徴とする。
【００１９】
本発明によれば、下梁が所定柱に片持ち状態で連結された短尺梁とされ、その短尺梁（下梁）が柱化粧板の内側空間に収容されている。この場合、下梁に対して支持フレーム（下梁固定部）が固定される上述の構成にあって、所定柱の下端付近まで柱化粧板で覆う柱化粧構造を実現することができる。
【００２０】
第６の発明の建物の柱構造は、第５の発明において、前記下梁は、前記所定の建物ユニットの搬送時及び据付時に、補強用の仮梁が仮固定される仮固定部となっていることを特徴とする。
【００２１】
下梁が片持ち状の短尺梁とされた上記第５の発明の構成では、（所定の）建物ユニットの搬送時及び据付時に下梁の欠損部において建物ユニットに変形が生じるのを防止すべく、その欠損部に対して補強用の仮梁を組み付けることが考えられる。そこで本発明では、かかる仮梁の組み付けに際して、上記の下梁を、仮梁を仮固定するための仮固定部として利用している。この場合、下梁を下梁固定部の固定部としてだけでなく、仮梁の仮固定部としても利用できるため、下梁の有効利用を図ることができる。
【００２２】
第７の発明の建物の柱構造は、第１乃至第６のいずれかの発明において、前記所定柱は独立柱であり、その独立柱の四方が前記柱化粧板により囲まれて化粧柱が構成されていることを特徴とする。
【００２３】
本発明によれば、建物において独立した状態で設けられる化粧柱において、柱化粧板を好適に取り付けることが可能となる。
【図面の簡単な説明】
【００２４】
【図１】複数の建物ユニットが組み合わされた状態を示す斜視図。
【図２】アルコーブユニットにおける柱周辺を示す斜視図。
【図３】化粧柱の構成を示す横断面図。
【図４】化粧柱の構成を分解した状態で示す分解横断面図。
【図５】支持フレームが柱に組み付けられた状態を示す斜視図。
【図６】第１フレーム部が柱に組み付けられた状態を示す斜視図。
【図７】第１フレーム部を示す斜視図。
【図８】上梁固定部が天井大梁に固定された固定部分の構成を示す横断面図。
【図９】下梁固定部が下梁に固定された固定部分の構成を示す横断面図。
【図１０】上下の各梁固定部が天井大梁及び下梁に固定された固定部分周辺の構成を示しており、（ａ）が同構成を図３におけるａ方向から見た図であり、（ｂ）がｂ方向から見た図である。
【図１１】上下の各梁固定部が天井大梁及び下梁に固定された固定部分周辺の構成を示しており、（ａ）が同構成を図３におけるｃ方向から見た図であり、（ｂ）がｄ方向から見た図である。
【図１２】建物ユニットを示す斜視図。
【図１３】他の実施形態における化粧柱の構成を示す横断面図。
【図１４】他の実施形態における化粧柱の構成を示す横断面図。
【図１５】他の実施形態における建物内のガレージ周辺を示す図。
【発明を実施するための形態】
【００２５】
以下に、本発明を具体化した一実施の形態について図面を参照しつつ説明する。本実施形態では、建物として、複数の建物ユニットが互いに組み合わされてなるユニット式建物について具体化している。そこでまず、建物ユニットの構成について図１２を参照しながら簡単に説明する。なお、図１２は建物ユニットを示す斜視図である。
【００２６】
図１２に示すように、建物ユニット２０は、その四隅に配設される４本の柱２１と、各柱２１の上端部及び下端部をそれぞれ連結する各４本の天井大梁２２及び床大梁２３とを備える。そして、それら柱２１、天井大梁２２及び床大梁２３により直方体状の骨格（フレーム）が形成されている。この骨格が「枠体」に相当する。柱２１は四角筒状の角形鋼よりなる。天井大梁２２及び床大梁２３は断面コ字状の溝形鋼よりなり、その開口部が向き合うようにして設置されている。なお、天井大梁２２が上梁に相当し、床大梁２３が下梁に相当する。
【００２７】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。天井小梁２５はリップ溝形鋼よりなり、床小梁２６は角形鋼よりなる。
【００２８】
次に、上記建物ユニット２０が複数組み合わされて構築されるユニット式の建物について説明する。図１は、複数の建物ユニット２０が組み合わされた状態を示す斜視図である。
【００２９】
図１に示すように、住宅等の建物１０は、一階部分１１と二階部分１２とを有する二階建てとなっている。一階部分１１は、横並びに設けられた複数の建物ユニット２０により構成されている。また、これと同様に、二階部分１２も、横並びに設けられた複数の建物ユニット２０により構成されている。なお、図１では便宜上、二階部分１２の建物ユニット２０を一階部分１１の建物ユニット２０から上方に離間させて示している。
【００３０】
建物ユニット２０（詳しくはその骨格）の側面には、外壁を構成する外壁板２８が横並びで設けられている。外壁板２８は窯業系サイディングにより構成され、屋外面（外壁面）を形成している。図示は省略するが、外壁板２８の裏面側には矩形枠状の下地フレーム（下地材）が固定され、その下地フレームが天井大梁２２及び床大梁２３の屋外側にそれぞれ取り付けられている。つまり、外壁板２８は、下地フレームを介して天井大梁２２及び床大梁２３に屋外側から取り付けられている。
【００３１】
一階部分１１には、その角部にアルコーブ１４（玄関ポーチ）が形成されている。アルコーブ１４は、互いに直交する２つの外壁面をそれぞれ屋内側に後退させることにより形成された凹状空間となっている。アルコーブ１４は、その２つの側面が仕切壁１５，１６により規定され、残りの２つの側面が屋外に開口されている。各仕切壁１５，１６のうち、一方の仕切壁１５には玄関口１８が設けられ、その玄関口１８には玄関ドア１９が設けられている。
【００３２】
アルコーブ１４において屋外に開口された２つの側面はそれぞれ開口部３１，３２となっている。これら各開口部３１，３２のうち、仕切壁１６と対向する位置にある開口部３１は開口部３２よりも開口幅が大きくなっている。この場合、この開口部３１の形成されている側がアルコーブ１４の正面側となる。以下の説明では、この正面側の開口部３１の幅方向を第１方向Ｘといい、この第１方向Ｘと直交する方向、すなわち開口部３２の幅方向を第２方向Ｙという。
【００３３】
アルコーブ１４において開口部３１の上方には垂れ壁を構成する外壁板３４が設けられ、開口部３２の上方には同じく垂れ壁を構成する外壁板３５が設けられている。これらの外壁板３４，３５はいずれも窯業系サイディングにより構成され、屋外面（外壁面）を形成している。図示は省略するが、各外壁板３４，３５の裏面側には下地フレーム（下地材）が固定され、その下地フレームが天井大梁２２の屋外側に取り付けられている。つまり、各外壁板３４，３５は、下地フレームを介して天井大梁２２に屋外側から取り付けられている。詳しくは、各外壁板３４，３５のうち、外壁板３４が第１方向Ｘに延びる天井大梁２２に取り付けられ、外壁板３５が第２方向Ｙに延びる天井大梁２２に取り付けられている。
【００３４】
アルコーブ１４（玄関ポーチ）において各開口部３１，３２の間の角隅部には化粧柱３０（ポーチ柱）が立設されている。化粧柱３０は、アルコーブ１４において独立した状態で立設されている。化粧柱３０は、アルコーブ１４を形成する建物ユニット２０（以下、アルコーブユニット２０Ａという）の柱２１を用いて構成されている。なお、以下の説明では便宜上、化粧柱３０を構成する上記柱２１の符号にＡを付す。また、アルコーブユニット２０Ａが「所定の建物ユニット」に相当し、上記柱２１Ａが「所定柱」及び「独立柱」に相当する。
【００３５】
化粧柱３０は、柱２１Ａの周囲に化粧板４５が配設されることにより形成されている。化粧板４５は、窯業系サイディングにより構成され、柱２１Ａの四方を囲むようにして配設されている。本実施形態では、化粧板４５が柱２１Ａ周りで分割されて２つ設けられている（図３も参照）。各化粧板４５はいずれも横断面がコ字状をなしており、互いの溝部を向き合わせて平面視矩形に配置されている。各化粧板４５は柱２１Ａに沿って上下に延びる長尺状とされ、その長さが柱２１Ａの長さと略同じ長さとなっている。なお、化粧板４５が柱化粧板に相当する。
【００３６】
化粧板４５は、垂れ壁を構成する各外壁板３４，３５とそれぞれ隣接している。この場合、化粧板４５において互いに直交する２面の屋外面４５ａ，４５ｂのうち、屋外面４５ａが外壁板３４の屋外面３４ａと同一平面で連続し、屋外面４５ｂが外壁板３５の屋外面３５ａと同一平面で連続している。なお、これら各屋外面４５ａ，４５ｂがそれぞれ連続屋外面に相当する。また、各屋外面４５ａ，４５ｂのうち、屋外面４５ａは第１方向Ｘと平行な面であり、屋外面４５ｂは第２方向Ｙと平行な面である。
【００３７】
化粧柱３０の上方には、二階部分１２における外壁の出隅部３３が形成されている。二階部分１２では、出隅部３３を構成する２つの外壁板２８ａ，２８ｂが直角をなして配置され、それら各外壁板２８ａ，２８ｂの屋外面２９ａ，２９ｂにより出隅部３３が形成されている。これら各外壁板２８ａ，２８ｂは、上述したように、下地フレームを介して天井大梁２２及び床大梁２３に屋外側から取り付けられているが、各外壁板２８ａ，２８ｂのうち、外壁板２８ａが第１方向Ｘに延びる各大梁２２，２３に取り付けられ、外壁板２８ｂが第２方向Ｙに延びる各大梁２２，２３に取り付けられている。
【００３８】
化粧柱３０の化粧板４５は、各外壁板２８ａ，２８ｂとそれぞれ上下に隣接している。この場合、化粧板４５の屋外面４５ａが外壁板２８ａの屋外面２９ａと同一平面で連続し、屋外面４５ｂが外壁板２８ｂの屋外面２９ｂと同一平面で連続している。
【００３９】
続いて、アルコーブユニット２０Ａの構成について説明する。アルコーブユニット２０Ａは、その床部の構成が通常の建物ユニット２０と相違しており、以下においてはその相違点を中心に説明する。図２は、アルコーブユニット２０Ａにおける柱２１Ａ周辺を示す斜視図である。
【００４０】
図２に示すように、アルコーブユニット２０Ａにおいて上記開口部３１，３２が形成された各側面部では、それら開口部３１，３２が形成されている関係で床大梁２３の一部が除去されている。すなわち、これらの側面部では、開口部３１，３２が形成されている範囲内において床大梁２３が除去されており、その除去された部分が梁欠損部３９となっている。
【００４１】
柱２１Ａにおいて各開口部３１，３２側の側面、換言すると柱２１において２つの天井大梁２２が固定されている各側面にはそれぞれ、短尺状の下梁３７が固定されている。下梁３７は、その一端部が柱２１Ａの側面に固定された片持ち状とされている。下梁３７は、床大梁２３と同じ断面を有する溝形鋼により形成され、その溝部を水平方向内側に向けた状態で配設されている。下梁３７は、床大梁２３と同じ高さ位置に配置され、天井大梁２２に対して真下に位置している。
【００４２】
この場合、柱２１Ａからは互いに直交する２方向に、具体的には第１方向Ｘ及び第２方向Ｙにそれぞれ天井大梁２２と下梁３７とが上下に対向した状態で延びている（突出している）。以下の説明では、各方向に延びる天井大梁２２及び下梁３７を区別するために、第１方向Ｘに延びる天井大梁２２及び下梁３７の符号にＡを付し、第２方向Ｙに延びる天井大梁２２及び下梁３７の符号にＢを付す。
【００４３】
ここで、ユニット製造工場でのアルコーブユニット２０Ａの製造時には、各梁欠損部３９に対して補強用の仮梁３８（図２において二点鎖線で示す）が組み付けられる。仮梁３８は、その一端部が下梁３７に対してボルトにより仮固定され、その他端部が梁欠損部３９を挟んで下梁３７とは反対側に設けられた下梁（図示略）にボルトにより仮固定される。このように仮梁３８が組み付けられることで梁欠損部３９が補強される。
【００４４】
仮梁３８が組み付けられたアルコーブユニット２０Ａは施工現場へと搬送される。この場合、アルコーブユニット２０Ａの搬送時及び据付時に梁欠損部３９にて同ユニット２０Ａに変形が生じるのを防止できる。アルコーブユニット２０Ａが施工現場へ搬送され、所定位置に据え付けられた後、同ユニット２０Ａから仮梁３８が取り外される。これにより、その仮梁３８が取り外された部位が梁欠損部３９となる。
【００４５】
次に、化粧柱３０の構成について図３及び図４に基づいて説明する。図３は、化粧柱３０の構成を示す横断面図である。図４は、化粧柱３０の構成を分解した状態で示す分解横断面図である。なお、図３及び図４は図１のＡ−Ａ線断面図に相当する。
【００４６】
図３及び図４に示すように、化粧柱３０は、アルコーブユニット２０Ａの柱２１Ａと、その柱２１Ａを囲むように設けられた支持フレーム４０と、支持フレーム４０の外周側に取り付けられた化粧板４５とを備えて構成されている。
【００４７】
柱２１Ａは、上述したように角形鋼管よりなり、その横断面が矩形形状詳しくは正方形状をなしている。柱２１Ａには、その側面として、第１方向Ｘに対向する２つの側面２１ａ，２１ｂと、第２方向Ｙに対向する２つの側面２１ｃ，２１ｄとが設けられている。各側面２１ａ，２１ｂのうち、側面２１ａが第１方向Ｘにおいてアルコーブユニット２０Ａの内側（以下、ユニット内側という）に形成され、側面２１ｂがアルコーブユニット２０Ａの外側（以下、ユニット外側という）に形成されている。また、各側面２１ｃ，２１ｄのうち、側面２１ｃが第２方向Ｙにおいてユニット内側に形成され、側面２１ｄがユニット外側に形成されている。なお、各側面２１ａ〜２１ｄのうち、側面２１ａに天井大梁２２Ａと下梁３７Ａとが固定され、側面２１ｃに天井大梁２２Ｂと下梁３７Ｂとが固定されている。
【００４８】
続いて、支持フレーム４０の構成について図３及び図４に加え図５〜図７を用いながら説明する。図５は、支持フレーム４０が柱２１Ａに組み付けられた状態を示す斜視図である。図６は、支持フレーム４０を構成する第１フレーム部４１が柱２１Ａに組み付けられた状態を示す斜視図である。図７は、第１フレーム部４１を示す斜視図である。なお、図６及び図７では便宜上、アルコーブユニット２０Ａを仮想線（二点鎖線）で示している。
【００４９】
図３〜図５に示すように、支持フレーム４０は、第１フレーム部４１と第２フレーム部４２とを備えている。これら各フレーム部４１，４２はいずれも柱２１Ａに沿って上下に延びる長尺状に形成され、それら各フレーム部４１，４２が互いに連結されることにより支持フレーム４０が構成されている。
【００５０】
支持フレーム４０は、その外周部を構成するフレーム外周部４３を有している。フレーム外周部４３は、その平面視において柱２１Ａを囲む矩形形状（詳しくは正方形）をなしている。詳しくは、フレーム外周部４３は、柱２１Ａよりも一回り大きい矩形形状をなしており、その平面視において柱２１Ａに加え当該柱２１Ａに連結された各下梁３７Ａ，３７Ｂをも囲んでいる。なお、図３では便宜上、各下梁３７Ａ，３７Ｂを二点鎖線にて示している。
【００５１】
フレーム外周部４３は、全体として４つの側面部４３ａ〜４３ｄを有している。これら４つの側面部４３ａ〜４３ｄには、柱２１Ａを挟んで第１方向Ｘに対向する２つの側面部４３ａ，４３ｂと、柱２１Ａを挟んで第２方向Ｙに対向する２つの側面部４３ｃ，４３ｄとが含まれている。各側面部４３ａ，４３ｂのうち、側面部４３ａが第１方向Ｘにおいてユニット内側に位置し、側面部４３ｂがユニット外側に位置している。また、各側面部４３ｃ，４３ｄのうち、側面部４３ｃが第２方向Ｙにおいてユニット内側に位置し、側面部４３ｄがユニット外側に位置している。
【００５２】
フレーム外周部４３の各側面部４３ａ〜４３ｄは、第１フレーム部４１と第２フレーム部４２とにより構成されている。第１フレーム部４１は、ユニット外側の各側面部４３ｂ，４３ｄを含んで平面視Ｌ字状に形成され、第２フレーム部４２は、ユニット内側の各側面部４３ａ，４３ｃを含んで平面視Ｌ字状に形成されている。この点からすると、第１フレーム部４１を外側フレーム部ということができ、第２フレーム部４２を内側フレーム部ということができる。また、詳しくは、第１フレーム部４１は、ユニット外側の各側面部４３ｂ，４３ｄに加え、ユニット内側の各側面部４３ａ，４３ｃの一部を含んで構成されている。また、第２フレーム部４２は、それら各側面部４３ａ，４３ｃの残りの部分を含んで構成されている。
【００５３】
第１フレーム部４１は、フレーム外周部４３を構成する第１外周部４１ａの他に、その第１外周部４１ａの外周方向の両端部に設けられた一対の第１固定部４１ｂ，４１ｃを有する。また、第２フレーム部４２は、フレーム外周部４３を構成する第２外周部４２ａの他に、その第２外周部４２ａの外周方向の両端部に設けられた一対の第２固定部４２ｂ，４２ｃを有する。これら各固定部４１ｂ，４１ｃ，４２ｂ，４２ｃはいずれもフレーム外周部４３よりもフレーム内側に向けて延びている。第１固定部４１ｂと第２固定部４２ｂとはボルト６４（固定具に相当）により互いに固定され、第１固定部４１ｃと第２固定部４２ｃとはボルト６１（固定具に相当）により互いに固定されている。これにより、第１フレーム部４１と第２フレーム部４２とが互いに連結され、それら各フレーム部４１，４２により支持フレーム４０が構成されている。
【００５４】
続いて、第１フレーム部４１及び第２フレーム部４２の各構成について詳しく説明する。まず、第１フレーム部４１の構成について説明する。
【００５５】
図３〜図７に示すように、第１フレーム部４１は、柱２１Ａを挟んで第１方向Ｘに対向する一対の縦枠材４７，４８と、それら各縦枠材４７，４８の間に架け渡された複数の横枠材４９とを有している。各縦枠材４７，４８のうち、縦枠材４７が第１方向Ｘにおいて柱２１Ａよりもユニット外側に配置され、縦枠材４８が柱２１Ａよりもユニット内側に配置されている。
【００５６】
縦枠材４７は、上下に延びる長尺状の鋼材により形成されている。縦枠材４７は、柱２１Ａの側面２１ｂに対向配置された板部４７ａと、その板部４７ａの幅方向の両端部からそれぞれ第１方向Ｘのユニット内側に延びる一対の板部４７ｂ，４７ｃとを有する。板部４７ａは、柱２１Ａの側面２１ｂに隙間を隔てて対向しており、その隙間には柱２１Ａに沿って上下に延びる長尺平板状のスペーサ５１が介在されている。スペーサ５１は合板よりなり、柱２１Ａの側面２１ｂに接着剤を用いて固定されている。
【００５７】
一対の各板部４７ｂ，４７ｃは、第２方向Ｙにおける柱２１Ａを挟んだ両側にそれぞれ配置されている。各板部４７ｂ，４７ｃのうち、第２方向Ｙにおけるユニット外側に配置された板部４７ｂは柱２１Ａに近接して配置されているのに対し、ユニット内側に配置された板部４７ｃは柱２１Ａから離間して配置されている。また、縦枠材４７は、さらに、板部４７ｃにおける反板部４７ａ側の端部から第２方向Ｙのユニット外側（柱２１Ａ側）に延びる板部４７ｄを有している。
【００５８】
縦枠材４８は、横断面がコ字状をなす長尺状の鋼材により形成されている。縦枠材４８は、柱２１Ａの側面２１ａに対向配置された板部４８ａと、その板部４８ａの幅方向両端部からそれぞれ第１方向Ｘのユニット外側へ延びる一対の板部４８ｂ，４８ｃとを有する。板部４８ａは、柱２１Ａ（側面２１ａ）から離間して配置され、板部４８ａと柱２１Ａ（側面２１ａ）との離間距離は縦枠材４７の板部４７ｃと柱２１Ａ（側面２１ｃ）との離間距離と同じとなっている。
【００５９】
各板部４８ｂ，４８ｃのうち、第２方向Ｙのユニット外側に配置された板部４８ｂは、その外側面が縦枠材４７の板部４７ｂの外側面と同一平面上に位置している。また、ユニット内側の板部４８ｃは、上記板部４８ｂからの離間距離が縦枠材４７の各板部４７ａ，４７ｄの離間距離と同じとなっている。
【００６０】
横枠材４９は、長尺平板状の鋼板により形成されている。横枠材４９は、上下方向に所定の間隔をおいて複数（具体的には４つ）配置されている。各横枠材４９はそれぞれ一方の端部が縦枠材４７の板部４７ｂの内側面に溶接固定され、他方の端部が縦枠材４８の板部４８ｂの内側面に溶接固定されている。これにより、これらの横枠材４９を介して各縦枠材４７，４８が互いに連結されている。
【００６１】
また、これらの横枠材４９は、柱２１Ａの側面２１ｄと所定の隙間を隔てて対向している。それら横枠材４９と側面２１ｄとの間には柱２１Ａに沿って上下に延びる長尺平板状のスペーサ５２が介在されている。スペーサ５２は合板よりなり、柱２１Ａの側面２１ｄに接着剤を用いて固定されている。
【００６２】
なお、第１フレーム部４１では、各縦枠材４７，４８の板部４７ｄ，４８ｃによりそれぞれ第１固定部４１ｂ，４１ｃが構成され、各縦枠材４７，４８における上記各板部４７ｄ，４８ｃを除いた部分と各横枠材４９とにより第１外周部４１ａが構成されている。
【００６３】
第１フレーム部４１は、さらに、その上端側に天井大梁２２に固定される上梁固定部５３，５４を有し、その下端側に下梁３７に固定される下梁固定部５５，５６を有している。以下においては、これら各梁固定部５３〜５６に関する構成について図６及び図７に加え、図８〜図１１を参照しながら説明する。図８は、上梁固定部５３，５４が天井大梁２２に固定された固定部分の構成を示す横断面図である。図９は、下梁固定部５５，５６が下梁３７に固定された固定部分の構成を示す横断面図である。図１０は、上下の各梁固定部５３〜５６が天井大梁２２及び下梁３７に固定された固定部分周辺の構成を示しており、（ａ）が同構成を図３におけるａ方向から見た図であり、（ｂ）がｂ方向から見た図である。図１１は、（ａ）が上記固定部分周辺の構成を図３におけるｃ方向から見た図であり、（ｂ）がｄ方向から見た図である。
【００６４】
図６〜図１１に示すように、第１フレーム部４１は、その上端側に、各天井大梁２２Ａ，２２Ｂにそれぞれ屋外側から固定される２つの上梁固定部５３，５４を有し、その下端側に、各下梁３７Ａ，３７Ｂにそれぞれ屋外側から固定される２つの下梁固定部５５，５６を有している。これら各梁固定部５３〜５６のうち、まず上梁固定部５３，５４について説明する。
【００６５】
第１フレーム部４１の第１外周部４１ａは、上述したように、フレーム外周部４３におけるユニット外側の各側面部４３ｂ，４３ｄを含んで構成されている（特に、図８及び図９を参照）。これら各側面部４３ｂ，４３ｄのうち、側面部４３ｄは、第１方向Ｘにおいて柱２１Ａと天井大梁２２Ａ及び下梁３７Ａとに跨がるよう配置されている。一方、側面部４３ｂは、第２方向Ｙにおいて柱２１Ａと天井大梁２２Ｂ及び下梁３７Ｂとに跨がるよう配置されている。
【００６６】
第１外周部４１ａの側面部４３ｄには、その上端側に、天井大梁２２Ａに向けて突出するように上梁固定部５３が固定され、側面部４３ｂには、その上端側に、天井大梁２２Ｂに向けて突出するように上梁固定部５４が固定されている。これら各上梁固定部５３，５４のうち、まず上梁固定部５３について説明すると、上梁固定部５３は、図８及び図１０に示すように、第１フレーム部４１の縦枠材４８の上端側に固定されている。上梁固定部５３は、コ字状の鋼板により形成され、ウェブ５３ａとウェブ５３ａを挟んで対向する一対のフランジ５３ｂ，５３ｃとを有する。上梁固定部５３は、各フランジ５３ｂ，５３ｃが上下に対向する向きで、かつ各フランジ５３ｂ，５３ｃの先端部が縦枠材４８の板部４８ｂの内側面に当接した状態で配置され、その配置状態で各フランジ５３ｂ，５３ｃが板部４８ｂに対し溶接固定されている。この場合、ウェブ５３ａは、板部４８ｂ（ひいては側面部４３ｄ）からフレーム内側（天井大梁２２Ａ側）に離間した位置に配置されている。また、上梁固定部５３は、各フランジ５３ｂ，５３ｃの幅方向の端部が縦枠材４８の板部４８ａの内側面に溶接固定されている。
【００６７】
上梁固定部５３は、そのウェブ５３ａが天井大梁２２Ａのウェブ２２ａの外側面（天井大梁２２Ａの屋外側）に当接しており、その当接状態でウェブ５３ａがボルト７８により天井大梁２２Ａのウェブ２２ａに固定されている。ウェブ５３ａの内側面（屋外側面）にはウェルディングナット７９が溶接固定されており、そのウェルディングナット７９に対してボルト７８が天井大梁２２Ａの溝内側から各ウェブ２２ａ，５３ａを介して締結されている。なお、各ウェブ２２ａ，５３ａにはそれぞれボルト７８を挿通するための孔部が形成されている。このようにして、上梁固定部５３が天井大梁２２Ａに対して屋外側から固定されている。
【００６８】
上梁固定部５４は、図８及び図１１に示すように、第１フレーム部４１の縦枠材４７の上端側に固定されている。上梁固定部５４は、上記上梁固定部５３と同様、コ字状の鋼板により形成され、ウェブ５４ａとウェブ５４ａを挟んで対向する一対のフランジ５４ｂ，５４ｃとを有する。また、本実施形態では、上梁固定部５４が上梁固定部５３と同じ構成を有して形成されている。上梁固定部５４は、各フランジ５４ｂ，５４ｃが上下に対向する向きで、かつ各フランジ５４ｂ，５４ｃの先端部が縦枠材４７の板部４７ａの内側面に当接した状態で配置され、その配置状態で各フランジ５３ｂ，５３ｃが板部４７ａに対し溶接固定されている。この場合、ウェブ５４ａは、板部４７ａ（ひいては側面部４３ｂ）からフレーム内側（天井大梁２２Ｂ側）に離間した位置に配置されている。また、上梁固定部５４は、各フランジ５４ｂ，５４ｃの幅方向の端部が縦枠材４７の板部４７ｃの内側面に溶接固定されている。
【００６９】
上梁固定部５４は、そのウェブ５４ａが天井大梁２２Ｂのウェブ２２ａの外側面（天井大梁２２Ｂの屋外側）に当接しており、その当接状態でウェブ５４ａがボルト８１により天井大梁２２Ｂのウェブ２２ａに固定されている。ウェブ５４ａの内側面にはウェルディングナット８２が溶接固定されており、そのウェルディングナット８２に対してボルト８１が天井大梁２２Ｂの溝内側から各ウェブ２２ａ，５４ａを介して締結されている。なお、各ウェブ２２ａ，５４ａにはそれぞれボルト８１を挿通するための孔部が形成されている。このようにして、上梁固定部５４が天井大梁２２Ｂに対して屋外側から固定されている。
【００７０】
続いて、下梁固定部５５，５６について説明する。
【００７１】
第１外周部４１ａの側面部４３ｄには、その下端側に、下梁３７Ａに向けて突出するように下梁固定部５５が固定され、側面部４３ｂには、その下端側に、下梁３７Ｂに向けて突出ように下梁固定部５６が固定されている（特に、図９を参照）。これら各下梁固定部５５，５６のうち、まず下梁固定部５５について説明すると、下梁固定部５５は、図９及び図１０に示すように、第１フレーム部４１の縦枠材４８の下端部に固定されている。下梁固定部５５は、Ｌ字状の鋼板により形成され、縦枠材４８の下端部に溶接固定された水平板部５５ａと、水平板部５５ａから下方に延びる鉛直板部５５ｂとを有する。水平板部５５ａは、その一の端辺部が縦枠材４８の板部４８ｂの下端部に沿って配置され、その配置状態で板部４８ｂに対し溶接固定されている。鉛直板部５５ｂは、水平板部５５ａにおける板部４８ｂとの固定側とは反対側の端辺部に配置されている。この場合、鉛直板部５５ｂは、板部４８ｂ（ひいては側面部４３ｄ）からフレーム内側（下梁３７Ａ側）に離間した位置に配置されている。また、水平板部５５ａは、上記一の端辺部と隣接する端辺部が縦枠材４８の板部４８ａの下端部に沿って配置され、当該板部４８ａに溶接固定されている。
【００７２】
下梁固定部５５は、その鉛直板部５５ｂが下梁３７Ａのウェブ３７ａの外側面（下梁３７Ａの屋外側）に当接しており、その当接状態で鉛直板部５５ｂがボルト８４により下梁３７Ａのウェブ３７ａに固定されている。ウェブ３７ａの内側面にはウェルディングナット８５が溶接固定されており、そのウェルディングナット８５に対してボルト８４が鉛直板部５５ｂの屋外側から鉛直板部５５ｂ及びウェブ３７ａを介して締結されている。なお、鉛直板部５５ｂ及びウェブ３７ａにはそれぞれボルト８４を挿通するための孔部が形成されている。このようにして、下梁固定部５５が下梁３７Ａに対して屋外側から固定されている。
【００７３】
ちなみに、上記各孔部のうち、鉛直板部５５ｂの孔部８６は下端側が開放された切り欠き状とされている。この場合、ボルト８４を下梁３７Ａに仮固定（仮締結）した状態で、そのボルト８４に鉛直板部５５ｂの孔部８６を上方から挿し込んで引っ掛けることができる。そのため、下梁固定部５５の固定作業を行う際には好都合となる。なお、孔部８６は、必ずしも切り欠き状とする必要はなく、丸孔であってもよい。
【００７４】
続いて、下梁固定部５６について説明する。下梁固定部５６は、図９及び図１１に示すように、第１フレーム部４１の縦枠材４７の下端部に固定されている。下梁固定部５６は、下梁固定部５５と同様、Ｌ字状の鋼板により形成され、縦枠材４７の下端部に溶接固定された水平板部５６ａと、水平板部５６ａから下方に延びる鉛直板部５６ｂとを有する。水平板部５６ａは、その一の端辺部が縦枠材４７の板部４７ａの下端部に沿って配置され、その配置状態で板部４７ａに対し溶接固定されている。鉛直板部５６ｂは、水平板部５６ａにおける板部４７ａとの固定側とは反対側の端辺部に配置されている。この場合、鉛直板部５６ｂは、板部４７ａ（ひいては側面部４３ｂ）からフレーム内側（下梁３７Ｂ側）に離間した位置に配置されている。また、水平板部５６ａは、上記一の端辺部と隣接する端辺部が縦枠材４７の板部４７ｃの下端部に沿って配置され、当該板部４７ｃに溶接固定されている。
【００７５】
下梁固定部５６は、その鉛直板部５６ｂが下梁３７Ｂのウェブ３７ａの外側面（下梁３７Ｂの屋外側）に当接しており、その当接状態で鉛直板部５６ｂがボルト８７により下梁３７Ｂのウェブ３７ａに固定されている。ウェブ３７ａの内側面にはウェルディングナット８８が溶接固定されており、そのウェルディングナット８８に対してボルト８７が鉛直板部５６ｂの屋外側から鉛直板部５６ｂ及びウェブ３７ａを介して締結されている。なお、鉛直板部５６ｂ及びウェブ３７ａにはそれぞれボルト８７を挿通するための孔部が形成されている。このようにして、下梁固定部５６が下梁３７Ｂに対して屋外側から固定されている。
【００７６】
ちなみに、上記各孔部のうち、鉛直板部５６ｂの孔部８９は下端側が開放された切り欠き状とされている。この場合、ボルト８７を下梁３７Ｂに仮固定（仮締結）した状態で、そのボルト８７に鉛直板部５６ｂの孔部８９を上方から挿し込んで引っ掛けることができる。そのため、下梁固定部５６の固定作業を行う際には好都合となる。なお、孔部８９は、必ずしも切り欠き状とする必要はなく、丸孔であってもよい。
【００７７】
また、ユニット製造工場でのアルコーブユニット２０Ａの製造時においては、下梁固定部５５，５６に加えて仮梁３８（図９において仮想線（二点鎖線）で示す）が下梁３７Ａ，３７Ｂにボルト８４，８７により（仮）固定される（図２も参照）。この場合、かかる仮固定状態でアルコーブユニット２０Ａが施工現場へ搬送され、所定位置に据え付けられた後、ボルト８４，８７が取り外されることにより仮梁３８が取り外される。そして、その後ボルト８４，８７が再び締められることで下梁固定部５５，５６が下梁３７に（本）固定されるようになっている。
【００７８】
上述のように、第１フレーム部４１は、各上梁固定部５３，５４及び各下梁固定部５５，５６を用いて天井大梁２２Ａ，２２Ｂ及び下梁３７Ａ，３７Ｂにそれぞれ固定されるようになっている。より詳しくは、第１フレーム部４１（ひいては支持フレーム４０）は、天井大梁Ａ，２２Ｂ及び下梁３７Ａ，３７Ｂに対してのみ固定され、柱２１Ａに対しては固定されていない。
【００７９】
続いて、第２フレーム部４２の構成について説明する。
【００８０】
図３〜図５に示すように、第２フレーム部４２は、第１方向Ｘにて互いに離間して配置された一対の縦枠材５７，５８と、それら各縦枠材５７，５８の間に架け渡された複数の横枠材５９とを有している（図１０及び図１１も参照）。各縦枠材５７，５８のうち、縦枠材５７は第１方向Ｘにおいて柱２１Ａよりもユニット内側に配置され、縦枠材５８は縦枠材５７よりもユニット外側に配置されている。
【００８１】
縦枠材５７は、横断面がコ字状をなす長尺状の鋼材により形成されている。縦枠材５７は、その溝部を第１方向Ｘにおけるユニット外側に向けた状態で、第１フレーム部４１の縦枠材４８に対して第２方向Ｙのユニット内側に隣接して配置されている。縦枠材５７は、柱２１Ａの側面２１ａに対向する板部５７ａと、板部５７ａの幅方向両端部からそれぞれ第１方向Ｘのユニット外側へ延びる一対の板部５７ｂ，５７ｃとを有する。板部５７ａは、その外側面が縦枠材４８の板部４８ａの外側面と同一平面上に位置している。また、各板部５７ｂ，５７ｃのうち、第２方向Ｙのユニット外側（換言すると縦枠材４８側）に配置された板部５７ｂ（第２固定部４２ｃに相当）はボルト６１により縦枠材４８の板部４８ｃ（第１固定部４１ｃに相当）に固定されている。また、ユニット内側の板部５７ｃは、その外側面が第１フレーム部４１の縦枠材４７の板部４７ｃの外側面と同一平面上に位置している。
【００８２】
ボルト６１による板部５７ｂの固定に関して詳しくは、縦枠材４８の板部４８ｃの内側面にはウェルディングナット６２が溶接固定されており、そのウェルディングナット６２に対してボルト６１が各板部４８ｃ，５７ｂを介して締結されている。また、ボルト６１及びウェルディングナット６２は、縦枠材４８，５７の長手方向に沿って所定の間隔で複数（具体的には４つ）配置されている（図１０（ｂ）や図１１（ａ）を参照）。この場合、ボルト６１及びウェルディングナット６２は、横枠材５９と異なる高さ位置に配置されている。そのため、ボルト６１をウェルディングナット６２に締結する際に、上下に並ぶ横枠材５９の間を通じてかかる締結作業がし易くなっている。
【００８３】
縦枠材５８は、横断面がＬ字状をなす長尺材の鋼材により形成されている。縦枠材５８は、第１フレーム部４１の縦枠材４７に対して第１方向Ｘにおけるユニット内側に隣接させて配置されている。縦枠材５８は、その一方の板部５８ａ（第２固定部４２ｂに相当）が縦枠材４７の板部４７ｄ（第１固定部４１ｂに相当）にボルト６４により固定され、他方の板部５８ｂはその外側面が縦枠材４７の板部４７ｃの外側面（及び縦枠材５７の板部５７ｃの外側面）と同一平面上に位置している。
【００８４】
ボルト６４による板部５８ａの固定に関して詳しくは、縦枠材４７の板部４７ｄの内側面にはウェルディングナット６５が溶接固定されており、そのウェルディングナット６５に対してボルト６４が各板部４７ｄ，５８ａを介して締結されている。また、ボルト６４及びウェルディングナット６５は、縦枠材４７，５８の長手方向に沿って所定の間隔で複数（具体的には４つ）配置されている（図１０（ｂ）や図１１（ａ）を参照）。この場合、ボルト６４及びウェルディングナット６５は、横枠材５９と異なる高さ位置に配置されている。そのため、ボルト６４をウェルディングナット６５に締結する際に、上下に並ぶ横枠材５９の間を通じてかかる締結作業がし易くなっている。
【００８５】
横枠材５９は、長尺平板状の鋼板により形成されている。横枠材５９は、上下方向に所定の間隔をおいて複数（具体的には４つ）配置されている。各横枠材５９はそれぞれ一方の端部が縦枠材５７の板部５７ｃの内側面に溶接固定され、他方の端部が縦枠材５８の板部５８ｂの内側面に溶接固定されている。これにより、これらの横枠材５９を介して各縦枠材５７，５８が互いに連結されている。
【００８６】
なお、第２フレーム部４２では、各縦枠材５７，５８の板部５８ａ，５７ｂによりそれぞれ第２固定部４２ｂ，４２ｃが構成され、各縦枠材５７，５８における上記各板部５８ａ，５７ｂを除いた部分と各横枠材５９とにより第２外周部４２ａが構成されている。
【００８７】
以上が、支持フレーム４０に関する説明である。
【００８８】
支持フレーム４０には、図３に示すように、そのフレーム外周部４３に各化粧板４５が取り付けられている。各化粧板４５は、上述したように横断面コ字状をなしており、詳しくはその横断面がいずれも同じ大きさでかつ同じ形状とされている。各化粧板４５は、互いの溝部（内側空間）を第２方向Ｙに向き合わせた状態で支持フレーム４０（フレーム外周部４３）の外周側に配設され、その配設状態でフレーム外周部４３にビス７１により固定されている。この場合、各化粧板４５は支持フレーム４０（さらには柱２１Ａ）を囲むように設けられており、それら各化粧板４５により横断面矩形（詳しくは正方形）の化粧壁部４６が構成されている。
【００８９】
このように、各化粧板４５が柱２１Ａを囲む支持フレーム４０に取り付けられていることから、化粧壁部４６ひいては化粧柱３０の幅は柱２１Ａの幅よりも（十分に）大きくなっている。具体的には、支持フレーム４０のフレーム外周部４３は、その平面視にて、柱２１Ａとともにその柱２１Ａに連結された２つの下梁３７Ａ，３７Ｂを囲んでいるため、そのフレーム外周部４３の外側に設けられる化粧壁部４６は第１方向Ｘ及び第２方向Ｙの各方向において各下梁３７Ａ，３７Ｂよりもユニット内側に張り出して（ふかして）形成されている。これにより、本実施形態では、化粧柱３０が重厚感のあるものとなっている。
【００９０】
各化粧板４５は、互いの端面同士を第２方向Ｙに向き合わせた状態で配置されている。それら各化粧板４５の端面同士の間には上下方向に延びる目地７３（縦目地）が形成されている。目地７３は、各化粧板４５の間において２箇所存在しており、その目地幅方向が第２方向Ｙとなっている。それら２つの目地７３はいずれも第２方向Ｙにおいて同位置にあり、また同方向Ｙにおいて化粧柱３０の中央に位置している。
【００９１】
これらの目地７３にはそれぞれ、目地止水部材としてガスケット７４が配設されている。ガスケット７４は、定形シールよりなり、ＥＰＤＭ等の樹脂材料により形成されている。ガスケット７４は、目地７３に沿って上下に延びるように配設され、当該目地７３に対してはめ込まれている。これにより、目地７３を通じて雨水等の水が化粧板４５の内側空間（つまり化粧柱３０の内部空間）に入り込むことが防止されている。
【００９２】
ガスケット７４の奥側には止水シート７６が配設されている。止水シート７６は、上下に延びる長尺状のシートであり、目地７３を挟んで隣り合う各化粧板４５の裏面に跨がって配設されている。止水シート７６は、目地７３を挟んだ両側部分が化粧板４５とフレーム外周部４３との間に挟み込まれた状態で設けられている。この場合、仮に雨水等の水がガスケット７４を突破したとしても、その水が化粧柱３０の内部空間に入り込むのを防止することができる。
【００９３】
止水シート７６は各目地７３に対してそれぞれ配設されている。それら各止水シート７６のうち一方の止水シート７６ａは化粧板４５（化粧壁部４６）と第１フレーム部４１の縦枠材４７の板部４７ａとの間に挟み込まれている。縦枠材４７の板部４７ａは、第２方向Ｙに目地７３を跨いで配設され、その板部４７ａの外側面に止水シート７６ａが接着剤を用いて貼り付けられている（図１１（ｂ）も参照）。
【００９４】
他方の止水シート７６ｂは化粧板４５（化粧壁部４６）と第２フレーム部４２の縦枠材５７の板部５７ａとの間に挟み込まれている。縦枠材５７の板部５７ａは、第２方向Ｙに目地７３を跨いで配設され、その板部５７ａの外側面に止水シート７６ｂが接着剤を用いて貼り付けられている（図１０（ｂ）も参照）。このように、支持フレーム４０において各縦枠材４７，５７は止水シート７６ａ，７６ｂの下地としても利用されている。
【００９５】
次に、上述した化粧柱３０を構築する際の作業手順について説明する。
【００９６】
化粧柱３０を構築するにあたっては、まずユニット製造工場においてアルコーブユニット２０Ａの柱２１Ａの周囲に支持フレーム４０を配設する作業を行う。この配設作業に際してはまず、第１フレーム部４１を天井大梁２２Ａ，２２Ｂ及び下梁３７Ａ，３７Ｂに固定する作業を行う。この固定に際しては、ボルト７８，８１をウェルディングナット７９，８２に締結することで、上梁固定部５３，５４を天井大梁２２Ａ，２２Ｂに固定し、ボルト８４，８７をウェルディングナット８５，８８に締結することで、下梁固定部５５，５６を下梁３７Ａ，３７Ｂに固定する。
【００９７】
次に、第１フレーム部４１に対して第２フレーム部４２を固定する作業を行う。この作業では、ボルト６１をウェルディングナット６２に締結することで、第２フレーム部４２の縦枠材５７を第１フレーム部４１の縦枠材４８に固定し、ボルト６４をウェルディングナット６５に締結することで、第２フレーム部４２の縦枠材５８を第１フレーム部４１の縦枠材４７に固定する。これにより、各フレーム部４１，４２が連結され、柱２１Ａの周囲に支持フレーム４０が形成される。
【００９８】
次に、アルコーブユニット２０Ａを施工現場へ搬送する。施工現場では、アルコーブユニット２０Ａの支持フレーム４０（フレーム外周部４３）に化粧板４５をビス７１により固定する作業を行う。これにより、アルコーブユニット２０Ａにおいて化粧柱３０が構築される。
【００９９】
以上、詳述した本実施形態の構成によれば、以下の優れた効果が得られる。
【０１００】
アルコーブユニット２０Ａの柱２１Ａを囲むように支持フレーム４０を配設し、その支持フレーム４０の上梁固定部５３，５４及び下梁固定部５５，５６をそれぞれ上記柱２１Ａに連結された天井大梁２２及び下梁３７に固定した。そして、その支持フレーム４０の外周側に化粧板４５を取り付けた。この場合、化粧板４５が天井大梁２２及び下梁３７に支持フレーム４０を介して取り付けられるため、化粧板４５が柱２１Ａに取り付けられる場合と異なり、化粧板４５の取付位置がアルコーブユニット２０Ａにおける柱２１Ａの位置ばらつきの影響を受けることがない。
【０１０１】
また、化粧板４５は、それと隣接する外壁板２８ａ，３４の屋外面２９ａ，３４ａと同一平面で連続する屋外面４５ａ（連続屋外面）を有しているが、上記の実施形態では、この屋外面４５ａと平行に延びる天井大梁２２Ａ及び下梁３７Ａに対しそれぞれ上梁固定部５３と下梁固定部５５とを固定するようにした。この場合、化粧板４５を、隣接する外壁板２８ａ，３４と同様に、屋外面４５ａ（さらには屋外面２９ａ，３４ａ）と平行に延びる梁２２Ａ，３７Ａに対し支持フレーム４０を介して取り付けることができるため、化粧板４５の屋外面４５ａを外壁板２８ａ，３４の屋外面２９ａ，３４ａと面一に揃え易くすることができる。これにより、化粧板４５を好適に取り付けることが可能となる。
【０１０２】
また、化粧板４５は、さらに、それと隣接する外壁板２８ｂ，３５の屋外面２９ｂ，３５ａと同一平面で連続する屋外面４５ｂ（連続屋外面）を有しているが、上記の実施形態では、この屋外面４５ｂと平行に延びる天井大梁２２Ｂ及び下梁３７Ｂにもそれぞれ上梁固定部５４と下梁固定部５６とを固定するようにした。この場合、化粧板４５を、隣接する外壁板２８ｂ，３５と同様に、屋外面４５ｂ（さらには屋外面２９ｂ，３５ａ）と平行に延びる梁２２Ｂ，３７Ｂに対し支持フレーム４０を介して取り付けることができるため、化粧板４５の屋外面４５ｂを外壁板２８ｂ，３５の屋外面２９ｂ，３５ａと面一に揃え易くすることができる。これにより、化粧板４５において互いに直交する２面が連続屋外面４５ａ，４５ｂとなっている構成にあって、化粧板４５を好適に取り付けることが可能となる。
【０１０３】
上梁固定部５３（５４）を天井大梁２２Ａ（２２Ｂ）に対して屋外側から固定し、下梁固定部５５（５６）を下梁３７Ａ（３７Ｂ）に対して屋外側から固定した。この場合、化粧板４５を、それと隣接する外壁板２８ａ，３４（２８ｂ，３５）と同様に、梁２２Ａ，３７Ａ（２２Ｂ，３７Ｂ）に対して屋外側から支持フレーム４０を介して取り付けることができるため、化粧板４５の屋外面４５ａ（４５ｂ）を外壁板２８ａ，３４（２８ｂ，３５）の屋外面２９ａ，３４ａ（２９ｂ，３５ａ）とより一層面一に揃え易くすることができる。これにより、化粧板４５をより一層好適に取り付けることが可能となる。
【０１０４】
支持フレーム４０を２つのフレーム部４１，４２に分割して構成し、それら各フレーム部４１，４２のうち第１フレーム部４１に各上梁固定部５３，５４及び各下梁固定部５５，５６をすべて設けるようにした。この場合、支持フレーム４０を各梁２２Ａ，２２Ｂ，３７Ａ，３７Ｂに固定するに際しては、まず、第１フレーム部４１の各上梁固定部５３，５４及び各下梁固定部５５，５６をそれぞれ各梁２２Ａ，２２Ｂ，３７Ａ，３７Ｂに固定し、それから、その第１フレーム部４１に対して第２フレーム部４２を固定することになる。つまり、この場合、梁２２Ａ，２２Ｂ，３７Ａ，３７Ｂに対する固定作業は第１フレーム部４１を各梁２２Ａ，２２Ｂ，３７Ａ，３７Ｂに固定することで完了するため、支持フレーム４０が２つに分割された構成にあって、かかる固定作業を比較的容易に行うことが可能となる。
【０１０５】
各フレーム部４１（４２）をそれぞれ、一対の縦枠材４７，４８（５７，５８）と、それら各縦枠材４７，４８（５７，５８）同士を連結する複数の横枠材４９（５９）とを有して構成した。この場合、各フレーム部４１，４２の軽量化を図ることができるため、各フレーム部４１，４２の取り扱いが容易となり、支持フレーム４０の固定作業を容易に行うことが可能となる。
【０１０６】
ここで、上記の構成では、支持フレーム４０（フレーム外周部４３）を構成する各縦枠材４７，４８，５７，５８と各横枠材４９，５９とがフレーム外周方向に並ぶこととなる。そこで上記の実施形態では、かかる構成にあって、各縦枠材４７，５７をフレーム外周方向にて化粧板４５の目地７３と同位置に配置した。詳しくは、各縦枠材４７，５７を、フレーム外周方向にて目地７３を跨ぐように配置した。この場合、目地７３の奥側にて縦枠材４７，５７の外側面に止水シート７６を貼り付けることができるため、縦枠材４７，５７を止水シート７６の下地としても利用することが可能となる。
【０１０７】
下梁３７Ａ，３７Ｂを、その一端部のみが柱２１Ａに連結された片持ち状の短尺梁とし、その短尺梁（下梁３７Ａ，３７Ｂ）を化粧板４５により囲まれた内側空間に配設（収容）した。この場合、下梁３７Ａ，３７Ｂに対して支持フレーム４０（下梁固定部５５，５６）が固定される上述の構成にあって、柱２１Ａの下端付近まで化粧板４５で覆う柱化粧構造を実現することができる。
【０１０８】
ところで、下梁３７Ａ，３７Ｂが片持ち状の短尺梁とされた上記の構成では、アルコーブユニット２０Ａの搬送時に梁欠損部３９にてアルコーブユニット２０Ａに変形が生じるおそれがある。そのため、上記の実施形態では、ユニット搬送の際、その梁欠損部３９に対して補強用の仮梁３８を組み付けるようにしている。そして、上記の実施形態では、その仮梁３８の組み付けに際し、下梁３７Ａ，３７Ｂを、仮梁３８を仮固定するための仮固定部として利用している。この場合、下梁３７Ａ，３７Ｂを、下梁固定部５５，５６の固定部としてだけでなく、仮梁３８の仮固定部としても利用できるため、下梁３７Ａ，３７Ｂの有効利用を図ることができる。
【０１０９】
柱２１Ａ（独立柱）の四方を化粧板４５により囲んでなる化粧柱３０に、化粧板４５を支持フレーム４０を介して梁２２，３７に取り付ける上述の構成を適用した。この場合、建物１０において独立した状態で設けられる化粧柱３０において、化粧板４５を好適に取り付けることが可能となる。
【０１１０】
本発明は上記実施形態に限らず、例えば次のように実施されてもよい。
【０１１１】
（１）上記実施形態では、各フレーム部４１，４２のうち、第１フレーム部４１（外側フレーム部）に各梁固定部５３〜５６をそれぞれ設け、それら各梁固定部５３〜５６を梁２２，３７に対して屋外側から固定するようにしたが、これを変更してもよい。例えば、第２フレーム部４２（内側フレーム部）に各梁固定部５３〜５６をそれぞれ設け、それら各梁固定部５３〜５６を梁２２，３７に対して屋内側（アルコーブ１４側）から固定するようにしてもよい。その場合でも、梁固定部５３，５５（５４，５６）が化粧板４５の連続屋外面４５ａ（４５ｂ）と平行に延びる梁２２Ａ，３７Ａ（２２Ｂ，３７Ｂ）に固定されるため、化粧板４５を、隣接する外壁板２８ａ，３４（２８ｂ，３５）と同様に、連続屋外面４５ａ（４５ｂ）と平行に延びる梁２２Ａ，３７Ａ（２２Ｂ，３７Ｂ）に対し支持フレーム４０を介して取り付けることができる。そのため、化粧板４５の連続屋外面４５ａ（４５ｂ）を外壁板２８ａ，３４（２８ｂ，３５）の屋外面と面一に揃え易くすることができ、化粧板４５を好適に取り付けることが可能となる。
【０１１２】
（２）上記実施形態では、支持フレーム４０においてフレーム外周部４３を構成する各側面部４３ａ〜４３ｄのうち、第１フレーム部４１がユニット外側の各側面部４３ｂ，４３ｄを含んで構成され、第２フレーム部４２がユニット内側の各側面部４３ａ，４３ｃを含んで構成されていたが、これを変更してもよい。例えば、第１フレーム部を各側面部４３ａ，４３ｄを含んで構成し、第２フレーム部を各側面部４３ｂ，４３ｃを含んで構成してもよい。その場合、第１フレーム部に、天井大梁２２Ａ及び下梁３７Ａに固定される上梁固定部５３及び下梁固定部５５を設け、第２フレーム部に、天井大梁２２Ｂ及び下梁３７Ｂに固定される上梁固定部５４及び下梁固定部５６を設けることが考えられる。
【０１１３】
（３）上記実施形態では、支持フレーム４０を２つのフレーム部４１，４２に分割したが、３つ以上のフレーム部に分割してもよい。その場合、それら３つ以上のフレーム部のうちいずれか一のフレーム部に各上梁固定部５３，５４及び各下梁固定部５５，５６を設けることが考えられる。また、それら３つ以上のフレーム部のうちいずれか複数のフレーム部に各上梁固定部５３，５４及び各下梁固定部５５，５６を割り振って設けてもよい。
【０１１４】
（４）上記実施形態では、化粧柱３０の横断面形状を正方形状としたが、これを変更して、長方形状としてもよい。例えば図１３に示す化粧柱３０Ａは、上記実施形態の化粧柱３０よりも第１方向Ｘの幅が大きくなっており、それにより横断面が同方向Ｘに長い長方形状をなしている。この化粧柱３０Ａは、その支持フレーム４０Ａの構成が基本的に化粧柱３０の支持フレーム４０と同じ構成となっている。支持フレーム４０Ａは、第１方向Ｘの幅が化粧柱３０の支持フレーム４０よりも大きくなっている。これは、支持フレーム４０Ａでは、第１フレーム部４１Ａの横枠材４９Ａと、第２フレーム部４２Ａの横枠材５９Ａとについて、その第１方向Ｘの長さが支持フレーム４０よりも長くされていることで実現されている。また、支持フレーム４０Ａでは、これら各横枠材４９Ａ，５９Ａ以外の部材については支持フレーム４０と同じ部材が用いられている。この場合、部材の共通化を図りながら、支持フレーム４０の第１方向Ｘの幅を適宜変更することができるため、化粧柱３０の幅違いを各種形成する上で好都合な構成といえる。
【０１１５】
（５）化粧柱３０の横断面の大きさ（換言すると化粧柱３０の幅）を上記実施形態の化粧柱３０よりも大きくしてもよい。例えば図１４に示す化粧柱３０Ｂは、その支持フレーム４０Ｂの構成が上記実施形態の支持フレーム４０と相違している。具体的には、支持フレーム４０Ｂは、支持フレーム４０と同様に、第１フレーム部４１Ｂと第２フレーム部４２Ｂとを備えているが、これら各フレーム部４１Ｂ，４２Ｂのうち第２フレーム部４２Ｂの構成が第２フレーム部４２と相違している。
【０１１６】
第２フレーム部４２Ｂでは、縦枠材５８Ｂの板部５８ａが第１フレーム部４１Ｂの第１外周部４１ａよりも第２方向Ｙのユニット内側（フレーム外側）に延出しており、また、縦枠材５７Ｂの板部５７ｂが第１外周部４１ａよりも第１方向Ｘのユニット内側（フレーム外側）に延出している。これにより、第２フレーム部４２Ｂでは、その第２外周部４２ａが第１外周部４１ａよりも第１方向Ｘ及び第２方向Ｙのそれぞれにおいてフレーム外側にオフセットさせて配置されている。
【０１１７】
このように構成された支持フレーム４０Ｂの外周側には、第１外周部４１ａの外側と第２外周部４２ａの外側とに跨がる状態で各化粧板４５Ｂが配設され、それら各化粧板４５Ｂがそれら各外周部４１ａ，４２ａにビス７１により取り付けられている。この場合、第２外周部４２ａが第１外周部４１ａよりもフレーム外側にオフセットされている関係で、そのオフセット分、上記実施形態の化粧板４５よりも横断面の大きい化粧板４５Ｂが取り付けられている。このため、上記の構成によれば、化粧柱３０Ｂの幅（横断面）を上記実施形態の化粧柱３０よりも大きくすることができ、その結果化粧柱３０Ｂにおいてより一層の重厚感を演出することが可能となる。
【０１１８】
（６）上梁固定部５３，５４及び下梁固定部５５，５６の構成は必ずしも上記実施形態のものに限定されない。例えば、上記実施形態では、上梁固定部５３（５４）及び下梁固定部５５（５６）を第１フレーム部４１の縦枠材４８（４７）に対して溶接固定したが、これら各梁固定部５３，５５（５４，５６）のうち少なくともいずれかを縦枠材４８（４７）に一体形成するようにしてもよい。
【０１１９】
（７）上記実施形態では、化粧板４５を２つに分割して配設したが、化粧板４５を３つ以上に分割して配設してもよい。例えば、横断面がＬ字状の４つの化粧板に分割して配設することが考えられる。
【０１２０】
（８）上記実施形態では、各フレーム部４１，４２をボルト６１，６４を用いて連結したが、ビスやタッピングネジ等、ボルト以外の固定具を用いて連結してもよい。
【０１２１】
（９）上記実施形態では、アルコーブ１４に設けられた化粧柱３０に本発明の柱構造を適用したが、バルコニーやテラス等、アルコーブ１４以外に設けられた化粧柱に本発明を適用してもよい。
【０１２２】
また、上記実施形態では、一階部分１１の化粧柱３０に本発明を適用したが、二階部分１２の化粧柱に本発明を適用してもよい。例えば、二階部分１２のバルコニーに設けられる化粧柱に本発明を適用することが考えられる。二階部分１２のバルコニーでは、同バルコニーを構成する建物ユニット２０の床梁２３，２５上に床材等が敷設される等してバルコニー床部が構築される場合がある。その場合、建物ユニット２０の床部には、４辺に床大梁２３が配設されることになる。そのため、かかる場合には、支持フレーム４０の下梁固定部を床大梁２３（下梁に相当）に対して固定することが考えられる。なお、この場合には、化粧柱がバルコニー床部よりも上方に形成されることになる。
【０１２３】
（１０）本発明の柱構造を、建物１０において独立した状態で設けられる化粧柱以外に適用してもよい。その場合の例を図１５に示す。図１５の例では、建物９５に、車両を駐車可能なガレージ空間９６（インナガレージ）が設けられている。ガレージ空間９６は、２つの建物ユニット２０の内部空間を利用して形成されている。ガレージ空間９６は、その３方が仕切壁９７ａ〜９７ｃにより規定されており、その一側面には車両がガレージ空間９６に出入りするための車両出入口９８が形成されている。また、車両出入口９８を挟んだ両側の仕切壁９７ａ，９７ｂのうち一方の仕切壁９７ａはガレージ空間９６を屋外と仕切る外壁部となっている。この仕切壁９７ａにはガレージ空間９６に人が出入りするための出入口１０３が形成されている。
【０１２４】
仕切壁９７ａは、その厚み方向の両側にそれぞれ化粧板９９を備え、その化粧板９９が横並びに複数設けられている。仕切壁９７ａにおいて出入口１０３側の端部では、化粧板１０１が建物ユニット２０の柱２１（以下、この符号にＢを付す）を３方から囲むようにして設けられている。これらの化粧板１０１は横断面Ｌ字状をなしており、その化粧板１０１が仕切壁９７ａの壁厚み方向に並んでコ字状をなすように配置されている。なお、以下においては、各化粧板１０１のうち屋外側に配置された化粧板１０１の符号にＡを付す。
【０１２５】
化粧板１０１Ａは、屋外側に配置された化粧板９９（外壁板に相当）と横並びで隣接しており、その屋外面１０１ａが化粧板９９の屋外面９９ａと同一平面で連続している。なお、この場合、屋外面１０１ａが連続屋外面に相当する。また、柱２１Ｂには、互いに直交する二方向に延びる２つの天井大梁（図示は省略するが、以下においては符号として２２Ｃ，２２Ｄを付す）と、同じく直交する二方向に延びる２つの下梁３７Ｃ，３７Ｄが固定されている。これら各梁２２Ｃ，２２Ｄ，３７Ｃ，３７Ｄのうち、天井大梁２２Ｃ及び下梁３７Ｃが仕切壁９７ａの壁幅方向、換言すると化粧板１０１Ａの屋外面１０１ａと平行な方向に延びており、天井大梁２２Ｄ及び下梁３７Ｄが仕切壁９７ａの壁厚み方向に延びている。
【０１２６】
こうした構成にあって、柱２１Ｂの周囲には、支持フレーム１０５が柱２１Ｂを囲むように配設され、その支持フレーム１０５の外周側に各化粧板１０１が取り付けられている。支持フレーム１０５は、基本的に、上記実施形態の支持フレーム４０と同様の構成を有している。すなわち、支持フレーム１０５は、第１フレーム部１０６と第２フレーム部１０７とを備え、それら各フレーム部１０６，１０７が互いに連結されることで構成されている。
【０１２７】
第１フレーム部１０６は、その上端側に、天井大梁２２Ｃに屋外側から固定される上梁固定部（図示略）を有し、その下端側に、下梁３７Ｃに屋外側から固定される下梁固定部１０９を有する。これら上梁固定部及び下梁固定部１０９は、ボルト１０８により梁２２Ｃ，３７Ｃに対して固定されている。
【０１２８】
かかる構成においても、上梁固定部と下梁固定部１０９とが、化粧板１０１Ａの屋外面１０１ａ（連続屋外面）と平行に延びる各梁２２Ｃ，３７Ｃに固定されるため、隣接する化粧板９９（外壁板に相当）と同様に、化粧板１０１Ａを屋外面１０１ａと平行に延びる梁２２Ｃ，３７Ｃに対し支持フレーム１０５を介して取り付けることができる。これにより、化粧板１０１Ａの屋外面１０１ａを化粧板９９の屋外面９９ａと面一に揃え易くすることができるため、化粧板１０１Ａを好適に取り付けることが可能となる。
【符号の説明】
【０１２９】
１０…建物、２０…建物ユニット、２０Ａ…所定の建物ユニットとしてのアルコーブユニット、２１Ａ…所定柱及び独立柱としての柱、２２Ａ…上梁としての天井大梁、２２Ｂ…上梁としての天井大梁、２８ａ…外壁板、２８ｂ…外壁板、３４…外壁板、３５…外壁板、３７Ａ…下梁、３７Ｂ…下梁、３０…化粧柱、３８…仮梁、４０…支持フレーム、４１…第１フレーム部、４２…第２フレーム部、４５…柱化粧板としての化粧板、４５ａ…連続屋外面としての屋外面、４５ｂ…連続屋外面としての屋外面、５３…上梁固定部、５４…上梁固定部、５５…下梁固定部、５６…下梁固定部、６１…固定具としてのボルト、６４…固定具としてのボルト。
【図１】
0006476086.tif 000002
【図２】
0006476086.tif 000003
【図３】
0006476086.tif 000004
【図４】
0006476086.tif 000005
【図５】
0006476086.tif 000006
【図６】
0006476086.tif 000007
【図７】
0006476086.tif 000008
【図８】
0006476086.tif 000009
【図９】
0006476086.tif 000010
【図１０】
0006476086.tif 000011
【図１１】
0006476086.tif 000012
【図１２】
0006476086.tif 000013
【図１３】
0006476086.tif 000014
【図１４】
0006476086.tif 000015
【図１５】
0006476086.tif 000016